【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
患者の指定標的部位を細菌消毒するためのアセンブリであって、
第１の近位端部と、前記第１の近位端部に遠位に位置付けられている第１の終端部と、を有する、第１の端部放出ファイバであって、前記第１の終端部が、第１の遠位方向に細菌消毒光の第１のビームを端部放出するように構成されており、前記第１の端部放出ファイバが、輸送ファイバである、第１の端部放出ファイバと、
前記第１の細菌消毒光ビームの少なくとも一部分を前記標的部位に方向付けるように構成されている、第１の複数の光学表面を含む第１の本体であって、前記第１の複数の光学表面が、第１の屈折光学表面、第２の屈折光学表面、および第１の全内部反射光学表面を含み、前記第１の全内部反射光学表面が、連続表面であり、前記第１の全内部反射光学表面が、細菌消毒光の前記第１のビームの指定光学経路内に前記第１の屈折光学表面と前記第２の屈折光学表面との間に配置されており、細菌消毒光の前記第１のビームの前記指定光学経路が、光散乱素子を欠いており、前記第１の屈折光学表面および前記第１の全内部反射光学表面が、互いに向かい合って配設されており、前記第２の屈折光学表面および前記第１の全内部反射光学表面は、細菌消毒光の前記第１のビームが前記第１の本体に方向付けられるとき、前記第１の全内部反射光学表面によって反射された細菌消毒光の前記第１のビームが前記第２の屈折表面を通過して、細菌消毒光の前記第１のビームが前記標的部位に衝突することをもたらす様態で互いに向かい合って配設されており、前記第１の全内部反射光学表面、第１の屈折光学表面、および第２の屈折光学表面のいずれも、光ファイバの一部ではなく、前記第１の全内部反射光学表面が、細菌消毒光の前記第１のビームを第１の近位方向に方向付けるように構成されている、第１の本体と、を備える、アセンブリ。
【請求項２】
第２の近位端部と、前記第２の近位端部に遠位に位置付けられている第２の終端部と、を有する、第２の端部放出ファイバであって、前記第２の終端部が、細菌消毒光の第２のビームを第２の遠位方向に端部放出するように構成されており、前記第２の端部放出ファイバが、輸送ファイバである、第２の端部放出ファイバと、
細菌消毒光の前記第２のビームの少なくとも一部分が前記標的部位における細菌消毒光の前記第１のビームの前記少なくとも一部分と重複するように、細菌消毒光の前記第２のビームの前記少なくとも一部分を前記標的部位に方向付けるように構成されている第２の複数の光学表面を含む第２の本体であって、前記第２の複数の光学表面が、第３の屈折光学表面、第４の屈折光学表面、および第２の全内部反射光学表面を含み、前記第２の全内部反射光学表面が、細菌消毒光の前記第２のビームの指定光学経路内の前記第３の屈折光学表面と前記第４の屈折光学表面の間に配置され、細菌消毒光の前記第２のビームの前記指定光学経路が、光散乱素子を欠いており、前記第４の屈折光学表面および前記第２の全内部反射光学表面は、前記第２の全内部反射光学表面によって反射された細菌消毒光の前記第２のビームが前記第４の屈折表面を通過して、前記標的部位に衝突することをもたらす様態で互いに向かい合って配設され、細菌消毒光の前記第２のビームが前記第２の本体内に方向付けられるとき、前記第３の屈折光学表面および前記第２の全内部反射光学表面が、互いに向かい合って配設され、前記第２の全内部反射光学表面、第３の屈折光学表面、および第４の屈折光学表面のいずれも、光ファイバの一部ではなく、前記第２の全内部反射光学表面が、細菌消毒光の前記第２のビームを前記第１の近位方向に対して非平行である第２の近位方向に方向付けられるように構成されている、第２の本体と、をさらに備える、請求項１に記載のアセンブリ。
【請求項３】
前記第１の本体および前記第２の本体が、一元的構造体を備える、請求項２に記載のアセンブリ。
【請求項４】
前記第１の端部放出光ファイバの前記第１の終端部が、前記第１の本体の管腔または凹部内に位置付けられている、請求項１〜３のいずれかに記載のアセンブリ。
【請求項５】
前記第１の本体の前記第２の屈折表面が、凹状表面である、請求項１〜４のいずれかに記載のアセンブリ。
【請求項６】
前記第１の本体の前記第１の複数の光学表面が、第３の全内部反射光学表面をさらに備え、前記第３の全内部反射光学表面が、前記第１の本体の前記第１の全内部反射光学表面と前記第２の屈折光学表面との間に位置付けられている、請求項１〜５のいずれかに記載のアセンブリ。
【請求項７】
前記第１の端部放出光ファイバの前記第１の終端部が、前記第１の本体内の第１の位置に位置付けられており、前記第１の位置に遠位方向に消毒光の前記第１のビームを端部放出するように構成されており、細菌消毒光の前記第１のビームが前記第１の端部放出光ファイバの前記第１の終端部から放出されるとき、前記光の少なくとも一部分が、前記第１の位置に近接する第２の位置で前記第１の本体から出るように、前記第１の本体の前記複数の光学表面が、前記第１の本体内または前記第１の本体上に配設されている、請求項６に記載のアセンブリ。
【請求項８】
前記第１の全内部反射光学表面が、第１の屈折率を有する第１の材料と、前記第１の屈折率よりも小さい第２の屈折率を有する第２の材料との間の境界を備え、前記第２の材料が、空気である、請求項１〜７のいずれかに記載のアセンブリ。
【請求項９】
前記第１の端部放出光ファイバが、その端部に、電力密度低下端部キャップを備える、請求項１〜８のいずれかに記載のアセンブリ。
【請求項１０】
前記第１の本体の側面と前記第２の本体の側面との間に位置付けられた第１の貫通開口部をさらに含み、前記第１の貫通開口部が、前記アセンブリの上部表面から前記アセンブリの底部表面に延在し、医療デバイスの通過に適応するように構成されている、請求項２に記載のアセンブリ。
【請求項１１】
前記アセンブリが、基板をさらに備え、前記基板が、細菌消毒光を放射状に放出するように構成されている、１つ以上の放射状放出光ファイバが存在する１つ以上のチャネルを含み、前記基板が、前記細菌消毒光に対して少なくとも部分的に透明であり、前記第１の本体および前記第２の本体が、前記基板の上に位置付けられ、かつ物理的に連結されている、請求項２に記載のアセンブリ。
【請求項１２】
前記アセンブリが、前記細菌消毒光の第１のビームおよび第２のビームに対して少なくとも部分的に透明である、液体吸収パッドをさらに備え、前記液体吸収パッドが、前記第１の本体および前記第２の本体の少なくとも一部分の下に位置付けられ、かつ前記第１の貫通開口部と連通している第２の貫通開口部を有する、請求項１０に記載のアセンブリ。
【請求項１３】
前記第１の本体の前記第１の端部放出光ファイバ、前記第１の屈折光学表面、および前記第１の全内部反射光学表面は、細菌消毒光の前記第１のビームが前記第１の端部放出光ファイバの前記第１の終端部から放出されるとき、前記第１の屈折光学表面から出る細菌消毒光の前記第１のビームの全体が、前記第１の本体内部で前記第１の全内部反射光学表面に輸送されるように、構成されている、請求項１〜１２のいずれかに記載のアセンブリ。
【請求項１４】
前記第１の全内部反射光学表面および前記第２の屈折光学表面は、前記第１の全内部反射光学表面で受容された細菌消毒光の前記第１のビームの全体が、前記第１の本体を通って前記第２の屈折光学表面上に反射されるように、互いに対して配設され、かつ構成されている、請求項１〜１３のいずれかに記載のアセンブリ。
【請求項１５】
前記一元的構造体が、成形ポリマーを含む、請求項３に記載のアセンブリ。